(57)【要約】【課題】  泥棒による窓からの侵入手口を安全に体験でき、防犯機能をわかり易く説明して印象付け、かつ理解してもらうことができる侵入手口体験装置を提供する。【解決手段】  設置場所に固定される装置本体２と、この装置本体２に固定され、引き違いになった一対の扉本体３１同士をサムターン３２で施錠および開錠するようになされた引き違い窓３と、窓３の室外側を被覆することができる大きさに形成された透明板４２からなる安全カバー４とを具備し、安全カバー４で窓３の室外側を被覆した状態で安全カバー４の長孔４５および切欠部４８から扉本体３１のガラス板３１ｂを破壊し、サムターン３２を回して窓３を開けて泥棒の侵入手口を体験することができるようになされた侵入手口体験装置１。【選択図】  図３
2005248653.tif 000002
【特許請求の範囲】
【請求項１】
設置場所の床面と天井面との間に固定される装置本体と、
この装置本体に固定され、引き違いになった一対の扉本体同士をサムターンで施錠および開錠するようになされた窓と、
窓の室外側を被覆することができる大きさに形成された透明板からなる安全カバーとを具備し、
装置本体の窓下の位置には窓の室内側に開口する回収容器が設けられるとともに、装置本体の窓上の位置にはレールが設けられ、安全カバーから延設された支持脚がレールに沿って上下にスライド移動するように設けられて、窓の室外側を安全カバーが被覆および被覆解除することができるようになされ、
安全カバーは、窓の室外側を被覆した状態で、室外側に位置することとなる扉本体の部分に開口部が設けられるとともに、開口部周縁が扉本体側に延設されてリブを形成するようになされ、サムターン近傍の安全カバー部分にスリット状の長孔が形成されるとともに、サムターン近傍のリブ部分に切欠部が形成され、
安全カバーで窓の室外側を被覆した状態で長孔および切欠部から扉本体のガラス板を破壊し、サムターンを回して窓を開けて泥棒の侵入手口を体験することができるようになされたことを特徴とする侵入手口体験装置。
【請求項２】
単板ガラスが設けられた窓、網入りガラスが設けられた窓、ペアガラスが設けられた窓、金属膜を有する合わせガラスのペアガラスが設けられるとともにサムターン以外に別に施錠することができる鍵が設けられた窓、のうち、少なくとも２つ以上を設けることができるように装置本体が横並びに設けられてなり、それぞれの窓について泥棒の侵入手口の体験を比較できるようになされた請求項１記載の侵入手口体験装置。
【発明の詳細な説明】
【技術分野】
【０００１】
本発明は、泥棒による窓からの侵入手口を体験することによって防犯機能をわかり易く理解してもらうための装置に関するものである。
【背景技術】
【０００２】
従来より、住宅建物においては、泥棒などが家屋内に侵入しないように、数々の防犯対策が施されている。
【０００３】
例えば、防犯対策が施された窓の場合、ガラスの強靱さや鍵の性能の良さなどをカタログに紹介したり、展示住宅に訪れた購入予定者に、口頭で説明したりしていた。そして、この説明によって、防犯対策に優れた窓とはどのようなものであるのかを理解してもらっていた。
【発明の開示】
【発明が解決しようとする課題】
【０００４】
しかし、防犯に関して専門知識の無い者がカタログのみで説明することは難しく、展示住宅に訪れた購入予定者に対しても充分に説明することができない。
【０００５】
また、防犯対策の施された窓は、泥棒の侵入手口を研究して考えられたものであるが、泥棒の侵入手口の解説から防犯に優れていることを説明するものでは無く、単にガラスが強靱であるとか、鍵の性能が良いといったことを説明するだけであるため、具体的に強靱なガラスや性能の良い鍵が防犯に対してどのように機能しているのかが不明確で、防犯対策が施されているというだけのイメージに流され易く、本来の防犯機能とはどのようなものであるのかといったことが理解し難いこととなる。
【０００６】
本発明は、係る実情に鑑みてなされたものであって、泥棒による窓からの侵入手口を安全に体験することができ、それによって防犯機能をわかり易く説明して印象付け、かつ理解してもらうことができる侵入手口体験装置を提供することを目的としている。
【課題を解決するための手段】
【０００７】
上記課題を解決するための本発明の侵入手口体験装置は、設置場所の床面と天井面との間に固定される装置本体と、この装置本体に固定され、引き違いになった一対の扉本体同士をサムターンで施錠および開錠するようになされた窓と、窓の室外側を被覆することができる大きさに形成された透明板からなる安全カバーとを具備し、装置本体の窓下の位置には窓の室内側に開口する回収容器が設けられるとともに、装置本体の窓上の位置にはレールが設けられ、安全カバーから延設された支持脚がレールに沿って上下にスライド移動するように設けられて、窓の室外側を安全カバーが被覆および被覆解除することができるようになされ、安全カバーは、窓の室外側を被覆した状態で、室外側に位置することとなる扉本体の部分に開口部が設けられるとともに、開口部周縁が扉本体側に延設されてリブを形成するようになされ、サムターン近傍の安全カバー部分にスリット状の長孔が形成されるとともに、サムターン近傍のリブ部分に切欠部が形成され、安全カバーで窓の室外側を被覆した状態で長孔および切欠部から扉本体のガラス板を破壊し、サムターンを回して窓を開けて泥棒の侵入手口を体験することができるようになされたものである。
【０００８】
また、上記侵入手口体験装置において、単板ガラスが設けられた窓、網入りガラスが設けられた窓、ペアガラスが設けられた窓、金属膜を有する合わせガラスのペアガラスが設けられるとともにサムターン以外に別に施錠することができる鍵が設けられた窓のうち、少なくとも２つ以上を設けることができるように装置本体が横並びに設けられてなり、それぞれの窓について泥棒の侵入手口の体験を比較できるようになされたものである。
【発明の効果】
【０００９】
以上述べたように、本発明によれば、安全カバーで窓の室外側を被覆した状態で、長孔および切欠部から扉本体のガラス板を破壊すると、破壊されたガラス板は室内側の回収容器で受けられる。その後、安全カバーを窓の上方にスライド移動させて被覆解除した状態で、破壊されたガラス板の部分から室内側に手を入れてサムターンを回して窓を開けることで、泥棒の侵入手口を安全に体験することができる。また、この侵入手口を体験することで、窓に施された防犯機能をわかり易く説明して印象付けることができ、かつ容易に理解してもらうことができる。
【発明を実施するための最良の形態】
【００１０】
以下、本発明の実施の形態を図面を参照して説明する。
【００１１】
図１ないし図４は侵入手口体験装置１の防犯住宅解説装置１の全体構成の概略を示している。
【００１２】
すなわち、この侵入手口体験装置１は、装置本体２と窓３と安全カバー４とを具備し、窓３の室外側を安全カバー４で被覆した状態で泥棒の侵入手口を体験できるようになされている。
【００１３】
装置本体２は、住宅展示棟（図示省略）内の床梁１１と天井梁１２との間に、住宅建物（図示省略）の外壁を構成するのと同様に鋼材からなるフレーム２１を固定して構成されている。
【００１４】
このフレーム２１の床部分から約７５０ｍｍの高さの位置には、幅約１ｍ、高さ約１ｍの引き違い窓３が固定される。この引き違い窓３の固定は、通常の住宅建物（図示省略）に固定する場合と同様に行われる。
【００１５】
装置本体２は、引き違い窓３の下側に、後述する安全カバー４を固定する台部２２が設けられており、この台部２２に設けられた固定金具２３によって、引き違い窓３の室外側に被覆された安全カバー４を固定することができるようになされている。
【００１６】
この台部２２の下側には、回収容器２４を設けるようになされている。この回収容器２４は、上面が開口した容器本体２４ａの底面に滑車２４ｂが設けられており、前面にはフレーム２１に当接する化粧板２４ｃが設けられるとともに、把手２４ｄが設けられている。この回収容器２４は、装置本体２の台部２２の下側のフレーム２１がむき出しになった開口部分に納めることで、化粧板２４ｃが装置本体２と一体となって綺麗に収納されることとなる。この状態で容器本体２４ａは、引き違い窓３の室内側に開口することとなる。      
【００１７】
装置本体２は、引き違い窓３の上側に、化粧板２５を貼設するようになされており、この化粧板２５の両側部には、上下方向に一対のスリット２６が設けられている。この化粧板２５が貼設された装置本体２のフレーム２１の部分には、スリット２６の上方から下方に向かうに従ってフレーム２１から離隔するように傾斜したレール２７が設けられている。
【００１８】
このようにして構成される装置本体２は、横並びに四個設けられ、それぞれに異なった引き違い窓３を設けるようになされている。
【００１９】
引き違い窓３は、実際の住宅建物（図示省略）で使用されているものと同じ構造のものが用いられており、枠体３０内で引き違いになった一対の扉本体３１同士をサムターン３２で施錠および開錠するようになされている。引き違い窓３は、枠体３０が装置本体２の化粧板２５よりも外側に突出するように設けられ、引き違い窓３を安全カバー４で被覆した際に、安全カバー４の周縁部がこの枠体３０と密着して安全カバー４と、引き違い窓３の室外側の扉本体３１のガラス板３１ｂとの間に間隙を生じないようになされている。扉本体３１のうち、扉本体３１同士を閉めた状態で室内側に位置する扉本体３１、すなわち、枠体３１ａの側辺にサムターン３２が設けられた扉本体３１は、枠体３１ａにガラス板３１ｂが設けられておらず、室外側に位置する扉本体３１のみにガラス板３１ｂが設けられている。このガラス板３１ｂは、泥棒の侵入手口を体験してもらう毎に割られる。したがって、この引き違い窓３は、大き過ぎるとガラス板３１ｂを割るのにコストが嵩むこととなるので、幅約１ｍ、高さ約１ｍのできるだけ小さく形成されたものが用いられる。
【００２０】
この引き違い窓３は、ガラス板３１ｂが単板ガラスとなされた引き違い窓３ａ、ガラス板３１ｂが網入りガラスとなされた引き違い窓３ｂ、ガラス板３１ｂがペアガラスとなされた引き違い窓３ｃ、ガラス板３１ｂが特殊金属膜を有する合わせガラスのペアガラスとなされるとともに、サムターン３２以外に施錠可能な鍵（図示省略）が設けられた引き違い窓３ｄの異なった四種類のものが用意され、それぞれが装置本体２に固定される。
【００２１】
安全カバー４は、枠体４１内に樹脂性の透明板４２を設けて構成されており、引き違い窓３の室外側全体を覆うことができるようになされている。枠体４１の上辺部分には、枠体４１に直交する方向に支持脚４３が延設されており、この支持脚４３は、装置本体２の化粧板２５に設けられたスリット２６の部分から挿入されて、その先端部４３ａがレール２７に対して活動可能に取り付けられている。これにより、安全カバー４は、上下にスライド移動し、レール２７の上方の位置では装置本体２の化粧板２５から離隔し、レール２７の下方の位置では引き違い窓３の枠体３０に枠体４１が当接して透明板４２が引き違い窓３の室外側を被覆することとなる。透明板４２には容易にスライド移動させることができるように把手４０が設けられている。また、枠体４１の下辺部分には、固定孔４４が設けられており、この固定孔４４は、装置本体２の台部２２に設けられた固定金具２３が係合固定することができるようになされている。したがって、引き違い窓３の室外側を安全カバー４で被覆した状態でこの固定金具２３を固定孔４４に係合固定させることで安全カバー４による被覆状態を固定することができる。
【００２２】
また、安全カバー４の透明板４２は、引き違い窓３を被覆した状態で、引き違い窓３のサムターン３２の部分と対向する位置に上下に長いスリット状となされた長孔４５が形成されている。この長孔４５は、図３および図６に示すように、泥棒の侵入手口を体験するにあたり、安全カバー４で引き違い窓３の室外側を被覆した状態で、ドライバー５などを差し込んでサムターン３２の周縁の位置でガラス板３１ｂを割る際に利用される。サムターン３２の周縁の位置でガラス板３１ｂに衝撃を加えることによって、サムターン３２の周縁のガラス板３１ｂが割れることとなる。
【００２３】
この長孔４５に隣接し、引き違い窓３のガラス板３１ｂと対向することとなる透明板４２の部分には、開口部４６が設けられている。この開口部４６の周縁部は引き違い窓３の方向に延出するようにリブ４７が周設されている。サムターン３２に最も近いリブ４７の一側辺部分にはリブ４７が切りかかれて切欠部４８が形成されている。この切欠部４８は、図３および図６に示すように、泥棒の侵入手口を体験するにあたり、安全カバー４で引き違い窓３の室外側を被覆した状態で、ドライバー５などを差し込んでサムターン３２の上下の位置でガラス板３１ｂを割る際に利用される。この切欠部４８からドライバー５を差し込んでガラス板３１ｂを割る場合、引き違い窓３の枠体３１ａとガラス板３１ｂとの隙間にドライバー５の先端部を突き刺してドライバー５をひねることによって行われる。この動作をサムターン３２の上側と下側との位置で行うことで、図５に示すように、サムターン３２の部分のガラス板３１ｂは略三角形状に割れることとなる。また、開口部４６は、このドライバー５によるガラス板３１ｂを割る作業を行い易くするために設けられている。この開口部４６は、大き過ぎると割れたガラス板３１ｂがこの開口部４６から自分の方へ飛散することとなるので、ガラス板３１ｂを割る作業を行うことができる必要最小限の大きさに形成しておく。
【００２４】
次に、このようにして構成される侵入手口体験装置１の使用方法について説明する。
【００２５】
使用に先立って、侵入手口体験装置１は、引き違い窓３の扉本体３１を閉めてサムターン３２を施錠した状態とした後、安全カバー４を下ろして引き違い窓３を被覆し、安全カバー４を固定金具２３で固定した状態にしておく。
【００２６】
まず、住宅展示棟（図示省略）の案内員は、見学に訪れた購入予定者を、侵入手口体験装置１の前に案内する。
【００２７】
ガラス板３１ｂが単板ガラスとなされた引き違い窓３ａの場合、安全カバー４の切欠部４８からマイナスドライバー５を差し込んで、引き違い窓３の枠体３１ａとガラス板３１ｂとの隙間にドライバー５の先端部を突き刺してドライバー５をひねりガラス板３１ｂを割る。その後、固定金具２３による安全カバー４の固定を解除して安全カバー４を上方にスライド移動させ、割れたガラス板３１ｂの部分から手を入れるかもしくはドライバー５で突っ付いてサムターン３２を開錠する。これによって、比較的簡単で、しかもガラス板３１ｂが割れる際に大きな音を立てることなく、引き違い窓３ａを開けることを体験できる。
【００２８】
ガラス板３１ｂが網入りガラスとなされた引き違い窓３ｂの場合、網が入っているために上記単板ガラスとなされた引き違い窓３ａのようにサムターン３２の上下二カ所にドライドバー５を突き刺してひねるだけではガラス板３１ｂは綺麗に割れない。したがって、安全カバー４の長孔４５からドライバー５を差し込んでサムターン３２の周縁の位置でガラス板３１ｂに衝撃を加えることによって、サムターン３２の周縁のガラス板３１ｂを割る。この場合、網入りの分だけ手間がかかるが、上記単板ガラスとなされた引き違い窓３ａと同様に、比較的簡単に引き違い窓３ｂを開けることを体験できる。
【００２９】
ガラス板３１ｂがペアガラスとなされた引き違い窓３ｃの場合、ガラス板３１ｂが間隙を存して二枚あるため、上記単板ガラスとなされた引き違い窓３ａのようにサムターン３２の上下二カ所にドライドバー５を突き刺してひねるだけでは室内側のガラス板３１ｂを同時に割ることはできない。したがって、室外側のガラス板３１ｂを割った後、安全カバー４の長孔４５からドライバー５を差し込んでサムターン３２の周縁の位置でガラス板３１ｂに衝撃を加えることによって、室内側のガラス板３１ｂを割る。この場合、ガラス板３１ｂを割る作業が二回必要なので、上記単板ガラスとなされた引き違い窓３ａの二倍の手間で引き違い窓３ｃを開けることを体験できる。
【００３０】
ガラス板３１ｂが特殊金属膜を有する合わせガラスのペアガラスとなされるとともに、サムターン３２以外に施錠可能な鍵（図示省略）が設けられた引き違い窓３ｄの場合、ガラス板３１ｂが間隙を存して二枚あり、しかも各ガラス板３１ｂには特殊金属膜がコーテンィグされているため、上記単板ガラスとなされた引き違い窓３ａのようにサムターン３２の上下二カ所にドライドバー５を突き刺してひねるだけでは室内側のガラス板３１ｂのみならず、室外側のガラス板３１ｂも割ることはできない。したがって、安全カバー４の長孔４５からドライバー５を差し込んでサムターン３２の周縁の位置で室外側のガラス板３１ｂに衝撃を加えることによって室外側のガラス板３１ｂを割り、引き続き室内側のガラス板３１ｂに衝撃を加えることによって室内側のガラス板３１ｂを割る。この場合、ガラス板３１ｂを割る作業が二回必要で、しかも各ガラス板３１ｂを割る作業が手間取るため、引き違い窓３ｄを開けることが困難であることを体験できる。また、サムターン３２を開錠しても、このサムターン３２以外に施錠可能な鍵が設けられているため、さらにガラス板３１ｂを割る作業を二倍行わなければならず、引き違い窓３ｄを開けることがさらに困難であることを体験できる。
【００３１】
上記した各侵入体験は、住宅展示棟（図示省略）の案内員が、見学に訪れた購入予定者に説明しながら行うものであってもよいし、購入予定者に直に体験してもらうものであってもよい。
【００３２】
このように、購入予定者に泥棒の侵入手口を体験してもらうことで、引き違い窓３の防犯性能の違いを容易に理解してもらうことができる。また、案内員が購入予定者に説明しながら行う場合も、容易に説明することができ、容易に理解してもらうことができる。
【００３３】
また、この侵入手口体験装置１によって実際に見たり、体験したりしてもらうことで、引き違い窓３の防犯性能の良さを印象付けることができ、かつ、防犯性の大切さに興味を持ってもらうことができる。
【００３４】
さらに、割れたガラス板３１ｂは、引き違い窓３の室外側に安全カバー４を被覆しているため、飛散して体験者に怪我をさせるといった心配も無く、室内側に設けられた回収容器２４に回収することができる。回収したガラス板３１ｂは、回収容器２４の容器本体２４ａの底面に滑車２４ｂが設けられているので、装置本体２から回収容器２４ごと引き出して容易に廃棄することができる。体験後は、ガラス板３１ｂが設けられた扉本体３１を新しいものに交換するだけでよい。したがって、安全かつ容易に侵入体験を繰り返すことができる。
【００３５】
なお、本実施の形態では、侵入手口体験装置１は、異なった四種類の引き違い窓３によって侵入を容易に行うことができるか否かを比較体験することができるようになされているが、この比較体験の場合、二種類以上の引き違い窓３を設けたものであれば、その数は特に限定されるものではない。また、実際に販売する住宅建物（図示省略）に使用されている引き違い窓３だけを設けて侵入の難易性を体験してもらうようになされた侵入手口体験装置１であってもよい。
【産業上の利用可能性】
【００３６】
住宅建物の販売促進を図る装置として利用できる。
【図面の簡単な説明】
【００３７】
【図１】本発明に係る侵入手口体験装置の全体構成の概略を示す正面図である。
【図２】本発明に係る侵入手口体験装置の全体構成の概略を示す側面図である。
【図３】本発明に係る侵入手口体験装置の安全カバーで引き違い窓を被覆した状態を示す部分斜視図である。
【図４】本発明に係る侵入手口体験装置の安全カバーで引き違い窓を被覆解除した状態を示す部分斜視図である。
【図５】侵入手口を説明する部分正面図である。
【図６】侵入手口を説明する部分断面図である。
【符号の説明】
【００３８】
１  侵入手口体験装置
２  装置本体
２４  回収容器
２７  レール
３  引き違い窓
３ａ  引き違い窓
３ｂ  引き違い窓
３ｃ  引き違い窓
３ｄ  引き違い窓
３１  扉本体
３２  サムターン
４  安全カバー
４２  透明板
４３  支持脚
４５  長孔
４６  開口部
４７  リブ
４８  切欠部
【図１】
2005248653.tif 000003
【図２】
2005248653.tif 000004
【図３】
2005248653.tif 000005
【図４】
2005248653.tif 000006
【図５】
2005248653.tif 000007
【図６】
2005248653.tif 000008